(57)【要約】【課題】光ピックアップを搭載した電子装置が落下等の衝撃を受けると、副軸受けと副軸との摺動係合が外れる。【解決手段】半導体レーザ素子と受光素子とを備えるレーザモジュール１０６から放射した光ビームを円盤状情報媒体に光スポットを集光させる対物レンズ１０４と、情報媒体の半径方向に対する移動をガイドする主軸と摺動係合する主軸受け１０２と、副軸と摺動係合する副軸受け１０３とを備えた光ピックアップ１００において、副軸受け１０３の対物レンズ１０４側の副軸摺動面から対向する副軸摺動面方向に突出する突出部１０３ｃを備える。この構成で、衝撃を受けた時に副軸と副軸受け１０３との係合が外れ、光ピックアップ１００の動作不良を抑制できる。【選択図】図１
2006134528.tif 000002
【特許請求の範囲】
【請求項１】
円盤状情報媒体が備える情報層に光スポットを収束する対物レンズと、前記対物レンズを介して平行に配置され前記情報媒体の半径方向に前記対物レンズの移動をガイドする主軸及び副軸それぞれを受ける主軸受け及び副軸受けを備えた光ピックアップであって、
前記副軸受けは、前記対物レンズの光軸方向に対して直交し前記副軸に係合する一対の摺動面を有し、前記副軸に関して前記対物レンズの反対側における前記一対の摺動面の少なくとも何れか一方に、前記副軸に係合する摺動面の間隔よりも短くする突出部を備えることを特徴とする光ピックアップ。
【請求項２】
前記突出部が前記対物レンズの光軸方向に延び、前記一対の摺動面を連設することを特徴とする請求項１記載の光ピックアップ。
【発明の詳細な説明】
【技術分野】
【０００１】
本発明は、ＣＤプレーヤやＤＶＤプレーヤなどに搭載される光ピックアップに関する。
【背景技術】
【０００２】
従来の光ピックアップに適用されている主軸受けと副軸受けとしては、例えば特許文献１が知られている。この特許文献１には、図７に示すように円盤状情報媒体１をスピンドルモータ２に結合したターンテーブルに載置し、情報媒体１の情報層に光ピックアップ１０の対物レンズ１１で光スポットを集光させ、情報層の情報を再生または情報層に情報信号を記録する光ディスク装置が開示されている。光ピックアップ１０は情報媒体１の半径方向に沿って移動しながら情報層に対し情報信号の授受を行うため、光ディスク装置には情報媒体の半径方向への光ピックアップ１０の移動をガイドする主軸２０と副軸３０とを備える。主軸２０を受ける主軸受け１２は断面形状が円形の貫通孔で、副軸３０を受ける副軸受け１３は断面形状が略Ｕ字型が一般的に用いされている。なお、主軸２０は主軸支持部２１ａ及び２１ｂでトラバースベース３に固着され、副軸３０も副軸支持部３１ａ及び３１ｂでトラバースベース３に固着されている。この構成を採用することにより、光ピックアップ１０は情報媒体１の半径方向に対してスムーズに移動し、情報信号を情報層に授受することができる。
【特許文献１】特開２００１−０５２３４６号公報（段落番号００１１〜同００１２、図１）
【発明の開示】
【発明が解決しようとする課題】
【０００３】
ＣＤプレーヤ、ＤＶＤプレーヤ及び最近ではＤＶＤドライブまでもポータブル化が浸透し、使用者が手軽に持ち運び所望の場所で視聴及びコンピュータ端末に接続等して用いられるようになっている。このポータブル化が実現できた一つの要因として、光ピックアップの薄型化が寄与している。一方、ポータブル化が浸透すると、使用者が気を付けていたとしても、例えば持ち運ぶ途中や乗り物の中等で物体に衝突させる、落下させるまたは振動を加えることで衝撃を受ける場合が多発する。このような衝撃を受けた場合、薄型化した光ピックアップ１０では副軸受け１３の肉厚が、例えば図５に示したように十分ではないため、受けた衝撃で主軸２０及び副軸３０に沿って光ピックアップ１０が不用意に移動し、しかも当該移動の力は光ピックアップ１０を情報媒体１の半径方向に移動させるトラバースモータの駆動力ではないため、主軸２０及び副軸３０に順次当接しながら移動し、最終的には例えばトラバースモータ２に衝突し停止する等、衝撃に起因する副次的な力が光ピックアップ１０に作用し、この副次的な力は主軸受け１２または副軸受け１３に応力として集中する。
【０００４】
この応力集中が主軸１２側であれば、主軸受け１２は主軸２０の外周を囲む構成であるため、主軸２０と主軸受け１２との係合が外れることはないが、副軸受け１３は前述したように略Ｕ字型の形状を有するため、瞬発的応力または光ピックアップ１０の急激な停止時の応力により副軸３０と副軸受け１３との係合が外れ、光ピックアップ１０の動作不良を引き起こす可能性がある。
【０００５】
本発明は、係る従来の課題を解決するもので、光ピックアップを適用した機器の落下または他の異物に衝突する等強い衝撃を受けた場合では、光ピックアップの動作不良を抑制することを目的とする。
【課題を解決するための手段】
【０００６】
前記従来の課題を解決するために、本発明の光ピックアップは、円盤状情報媒体が備える情報層に光スポットを収束する対物レンズと、前記対物レンズを介して平行に配置され前記情報媒体の半径方向に前記対物レンズの移動をガイドする主軸及び副軸それぞれを受ける主軸受け及び副軸受けを備えた光ピックアップであって、前記副軸受けは、前記対物レンズの光軸方向に対して直交し前記副軸に係合する一対の摺動面を有し、前記副軸に関して前記対物レンズの反対側における前記一対の摺動面の少なくとも何れか一方に、前記副軸に係合する摺動面の間隔よりも短くする突出部を備える。
【発明の効果】
【０００７】
本発明の光ピックアップによれば、ユーザの取扱いによる落下、強い振動等の衝撃が光ピックアップを用いた電子装置に与えた場合であっても、当該衝撃が光ピックアップに伝わり、副軸受けと副軸との係合外れに起因する光ピックアップの動作不良を抑制できる。
【発明を実施するための最良の形態】
【０００８】
以下、図面を参照しながら本発明の好ましい実施形態について説明する。図１は本発明の一実施形態における光ピックアップの要部斜視図、図２は同実施形態における副軸受の拡大側面図（図１のＡ矢視図）である。図において、１００は光ピックアップ、１０１は基台、１０２は主軸受け、１０３は副軸受け、１０４は対物レンズ、１０５はフレキシブルプリント配線基板（以下、ＦＰＣと称す）、１０６は半導体レーザ素子と受光素子とを組み込んだレーザユニットである。
【０００９】
光ピックアップ１００は公知の通り、レーザユニット１０６の半導体レーザ素子から放射した光は、対物レンズ１０４で集光され不図示の円盤状情報媒体が備える情報層に光スポットを結ぶ。情報層から反射した光ビームは対物レンズ１０４を経てレーザユニット１０６に備える受光素子で各種信号を読み取ることで、情報層に記録または情報層に記録された情報信号を再生する。なお、ＦＰＣ１０５は、レーザユニット１０６の半導体レーザ素子に駆動電流等を供給すると共に、受光素子が読み取った信号を伝達する配線である。また、通称レンズホルダーと称される筒状の部材で対物レンズ１０４は保持され、対物レンズ１０４は情報層に形成されているトラックを追従しながら情報層に記録された情報を読み取るまたは情報層に記録するため、レンズホルダーは光ピックアップ１００の基台１０１に対して可動するように構成されている。このように円盤状情報媒体の情報層を非接触で追従する必要があるため、前述したように光ピックアップ１００は主軸及び副軸（図５参照）に沿って摺動させることが要請され、主軸が貫通する主軸受け１０２と、副軸が摺動係合する副軸受け１０３とが光ピックアップ１００に配置されている。本実施形態の光ピックアップ１００は、副軸と摺動係合する一対の副軸摺動面１０３ａ、１０３ｂ（以下の説明何れでも、対物レンズ１０４側をａとする）と、副軸摺動面１０３ａの対物レンズ１０４と反対側の端部には、不図示の副軸に対して平行に対物レンズ１０４の光軸方向に副軸摺動面１０３ｂ側に突出した突起部１０３ｃを備える。本実施例の光ピックアップ１００には、副軸受け１０３に突起部１０３ｃを備えるため、光ピックアップ１００を用いた例えばＤＶＤドライブを落下等の衝撃が加えられたとしても、突起部１０３が副軸に当接することで、副軸受け１０３から副軸が外れる、または副軸受け１０３が副軸に対する平行度の低下何れかに起因する光ピックアップ１００の動作不良を抑制することができる。上述したこの突起部１０３ｃの突出高さｈ1は、不図示の副軸の対物レンズ１０４の光軸方向の長さ（副軸が円柱形状であれば副軸の直径）の１／４程度以上が好ましい。
【００１０】
図３は、本発明の光ピックアップが備える副軸受けの他の実施形態を説明する要部拡大図である。本実施形態は副軸受け１０７の形状が異なるだけで、その他の光ピックアップの構成は先の実施形態と全く同じである。副軸受け１０７と副軸受け１０３との形状の差は、突出部１０３ｃは対物レンズ１０４側の副軸摺動面１０３ａから対向する（つまり、対物レンズ１０４を備える光ピックアップ１００の方向の裏面、以下裏面方向と称す）副軸摺動面１０３ｂ方向に突出していたが、副軸受け１０７では裏面方向の副軸摺動面１０７ｂから対物レンズ１０４側の副軸摺動面１０７ａ側に突出する突起部１０７ｃを備える。突出部１０７ｃによる作用及び効果は、突出部１０３ｃと全く同様であり、突起部１０７ｃの突出高さｈ2もｈ1同様に対物レンズ１０４の光軸方向における副軸の長さの１／４程度以上が好ましい。
【００１１】
図４は、本発明の光ピックアップが備える副軸受けの他の実施形態を説明する要部拡大図である。本実施形態は副軸受け１０８の形状が異なるだけで、その他の光ピックアップの構成は先の２つの実施形態と全く同じである。副軸受け１０８と副軸受け１０３及び１０７との形状の差は、突出部１０３ｃ及び１０７ｃは副軸摺動面１０３ａ及び１０７ｂの一方の副軸摺動面から突出していたが、副軸受け１０８では対物レンズ１０４側の副軸摺動面１０８ａ及び裏面方向の副軸摺動面１０８ｂ両方から対物レンズ１０４の光軸方向に突起部１０８ｃ及び１０８ｄが突出している点である。本実施形態では、副軸摺動面１０８ａ及び１０８ｂ両方から突起部１０８ｃ及び１０８ｄが突出しているため、先の２つの実施形態と同様の作用及び効果に加え、対物レンズ１０４の光軸方向何れの方向からの瞬間的応力に対しても突起部１０８ｃまたは１０８ｄにより耐性を備えることができ、副軸と副軸受け１０８との摺動係合関係の維持性能向上が図れる。なお、図４では突起部１０８ｃと１０８ｄそれぞれの突出高さは同一の場合の例を示したが、同一とする必然性はなく、何れかの高さが高い構成であっても何ら問題はない。また、突起部１０８ｃの突出高さｈ3と突起部１０８ｄの突出高さｈ4の合計が、副軸の対物レンズ１０４の光軸方向の長さの１／４程度以上が好ましい。
【００１２】
図５は本発明の光ピックアップにおける他の実施形態を示す要部斜視図であり、図６は本実施形態に適用する副軸受けにおける図５のＡ矢視拡大側面図である。光ピックアップ１１０が備える基台１０１、主軸受け１０２、対物レンズ１０４、ＦＰＣ１０５及びレーザユニット１０６は図１で説明した構成と全く同じである。先の３つの実施形態と異なる点は、副軸受け１０３、１０７及び１０８何れもそれぞれの副軸受けの光ピックアップ側に対向する方向は不連続とする開口部を備える構成であったが、図６に示したように、副軸受け１０９の副軸が摺動係合する対物レンズ１０４側の副軸摺動面１０９ａと、裏面側の副軸摺動面１０９ｂとを連結する連設部１０９ｃを備える構成である。先の３つの実施形態では副軸受け１０３、１０７及び１０８に開口部を備えたいるため、前述したように落下、衝突等の衝撃が与えられると、副軸受け１０３、１０７または１０８何れかの一対の副軸摺動面の何れかが対物レンズ１０４の光軸方向に変形、衝撃が過酷な場合には切断する可能性があるのに対し、本実施形態では連設部１０９ｃを備えるため、対物レンズ１０４の光軸方向に対する耐衝撃性にも優れ、副軸摺動面１０９ａ及び／または１０９ｂの変形または切断に基づく副軸と副軸受け１０９との摺動係合関係が損なわれる危険性を撲滅することも、先の３つの実施形態の効果に加え奏することができる。
【産業上の利用可能性】
【００１３】
本発明の光ピックアップは、光ピックアップを適用する電子装置の落下や衝突等に起因する衝撃による光ピックアップの動作不良を抑制できるため、光ピックアップを適用する小型電子装置全般に亘り用いることができる。
【図面の簡単な説明】
【００１４】
【図１】本発明の一実施形態における光ピックアップの要部斜視図
【図２】同実施形態における要部拡大図
【図３】本発明の別の実施形態における要部拡大図
【図４】本発明の他の実施形態における要部拡大図
【図５】本発明の別の実施形態における光ピックアップの要部斜視図
【図６】同実施形態における要部拡大図
【図７】従来の光ディスク装置における光ピックアップを中心とした要部斜視図
【符号の説明】
【００１５】
１００  光ピックアップ
１０１  基台
１０２  主軸受け
１０３  副軸受け
１０３ａ、１０３ｂ  副軸摺動面
１０３ｃ  突起部
１０４  対物レンズ
１０５  ＦＰＣ
１０６  レーザユニット
【図１】
2006134528.tif 000003
【図２】
2006134528.tif 000004
【図３】
2006134528.tif 000005
【図４】
2006134528.tif 000006
【図５】
2006134528.tif 000007
【図６】
2006134528.tif 000008
【図７】
2006134528.tif 000009